(57)【要約】【課題】現場での作業性が良好な掃除口構造を提供する。【解決手段】引戸の戸袋部２の収納部は、方立８と、戸尻側縦枠９と、方立８と戸尻側縦枠９間に形成された第１側壁と第２側壁との間に形成されており、第１空間Ａに面する第１側壁の下方部位に設けた掃除口構造３は、掃除口を備えた掃除口本体４と、前記掃除口を塞ぐ蓋体５とからなり、掃除口本体４は、幅方向一端側に形成された第１取付片４４と、幅方向他端側に形成された第２取付片４５とを備え、第１取付片４４の見付面４４０が方立８に第１螺子Ｓ１で固定され、第２取付片４５の見付面４５０が第２螺子Ｓ２で戸尻側縦枠９に固定されている。【選択図】図８
2019100026.tif 000002
【特許請求の範囲】
【請求項１】
引戸の戸袋部の収納部は、当該戸袋部の出入口側の第１縦枠と、当該戸袋部の底側の第２縦枠と、前記第１縦枠と前記第２縦枠間に形成された第１側壁と第２側壁との間に形成されており、
第１空間に面する前記第１側壁の下方部位には、前記戸袋部の掃除口構造が設けてあり、
前記掃除口構造は、掃除口を備えた掃除口本体と、前記掃除口を塞ぐ蓋体とからなり、
前記掃除口本体は、幅方向一端側に形成された第１取付片と、幅方向他端側に形成された第２取付片とを備え、
前記掃除口本体は、前記第１取付片の見付面が第１止着手段によって前記第１縦枠に固定されており、前記第２取付片の見付面が第２止着手段によって前記第２縦枠に固定されている、
引戸の戸袋部の掃除口構造。
【請求項２】
前記第１止着手段及び前記第２止着手段は螺子であり、前記第１取付片、前記第２取付片の一方の見付面には螺子を受け入れる孔が、他方の見付面には螺子を受け入れる横長孔が形成されており、前記他方の見付面は前記一方の見付面よりも戸袋部の収納部側に偏倚している、請求項１に記載の掃除口構造。
【請求項３】
前記第２取付片は、前記見付面と、上辺と、下辺と、からなる凹部を備えており、
前記第２取付片は、前記第１空間側に凹部が面した姿勢で、前記見付面を前記第２縦枠の見付面に当接させて前記第２止着手段としての第２螺子で固定されており、当該螺子の頭部は当該第２取付片の前記凹部内に納まっている、
請求項１、２いずれか１項に記載の掃除口構造。
【請求項４】
前記第２取付片の見付面には、前記第２螺子を受け入れる横長孔が形成されている、
請求項３に記載の掃除口構造。
【請求項５】
前記第１取付片は、前記見付面と、上辺と、下辺と、から断面視コ字形状を備えており、
前記第１取付片は、前記収納部側に凹部が面した姿勢で、当該凹部に前記第１縦枠の見付片を受け入れた状態で、前記見付面を前記見付片に当接させて前記第１止着手段としての第１螺子で固定されている、
請求項１〜４いずれか１項に記載の掃除口構造。
【請求項６】
前記第１螺子の頭部と前記第１取付片の見付面が略面一となっている、
請求項５に記載の掃除口構造。
【請求項７】
前記第１取付片の前記見付面、前記第２取付片の最も第１空間側に位置する部位は、同一垂直面上に位置している、請求項１〜６いずれか１項に記載の掃除口構造。
【発明の詳細な説明】
【技術分野】
【０００１】
本発明は、引戸の戸袋部の掃除口構造に関するものである。
【背景技術】
【０００２】
引戸装置において、扉体の戸尻が露出しない納まり、すなわち、壁体内に戸袋部が形成されている納まりがある。この場合、戸袋部に溜まった埃等を掃除するためには、戸袋部の下方部位に掃除口を設けると共に、当該掃除口を塞ぐように蓋を設け、掃除が必要な場合には、蓋を外して掃除することが行われる。
【０００３】
このような戸袋部は、方立と戸尻側縦枠間に亘って、戸袋部の幅方向に高さ方向に亘って複数本の中桟を設けると共に、下端間に巾木を設け、上下に隣位の中桟間、最上位の中桟の上側、最下位の中桟と巾木間にそれぞれボードを設けることで形成される。
【０００４】
このような戸袋部に掃除口を設けるやり方には、巾木に掃除口を設ける場合と、巾木の上側に掃除口を設ける場合がある。後者の場合、上下２本の中桟を利用して、その間に掃除口を取り付けることが提案されている（特許文献１）。この場合、予め２本の中桟に掃除口を取り付けた状態で、現場で組み立てようとすると、２本の中桟の相対位置が掃除口によって固定されているため、中桟の長さ方向両端の孔と方立ないし戸尻側縦枠の下穴が一致し難いという課題があり（結果として作業性が悪くなる）、一方、現場で２本の中桟を取り付けた後に掃除口を取り付けるとすると、現場での作業性が悪いという不具合がある。
【特許文献１】特許第４５３１６５０号
【発明の開示】
【発明が解決しようとする課題】
【０００５】
本発明は、現場での作業性が良好な掃除口構造を提供することを目的とする。
【課題を解決するための手段】
【０００６】
本発明が採用した技術手段は、
引戸の戸袋部の収納部は、当該戸袋部の出入口側の第１縦枠と、当該戸袋部の底側の第２縦枠と、前記第１縦枠と前記第２縦枠間に形成された第１側壁と第２側壁との間に形成されており、
第１空間に面する前記第１側壁の下方部位には、前記戸袋部の掃除口構造が設けてあり、
前記掃除口構造は、掃除口を備えた掃除口本体と、前記掃除口を塞ぐ蓋体とからなり、
前記掃除口本体は、幅方向一端側に形成された第１取付片と、幅方向他端側に形成された第２取付片とを備え、
前記掃除口本体は、前記第１取付片の見付面が第１止着手段によって前記第１縦枠に固定されており、前記第２取付片の見付面が第２止着手段によって前記第２縦枠に固定されている、引戸の戸袋部の掃除口構造、である。
【０００７】
１つの態様では、前記第１止着手段及び前記第２止着手段は螺子であり、前記第１取付片、前記第２取付片の一方の見付面には螺子を受け入れる孔が、他方の見付面には螺子を受け入れる横長孔が形成されており、前記他方の見付面は前記一方の見付面よりも戸袋部の収納部側に偏倚している。
典型的には、掃除口本体は、複数の部材から組み立てられるので、前記第１取付片に形成した前記第１螺子を受け入れる孔と前記第２取付片に形成した前記第２螺子を受け入れる孔間の寸法に誤差が生じる場合があり、第１縦枠、第２縦枠にそれぞれ形成された螺子孔と位置がズレるおそれがあるが、一方の見付面に形成された螺子を受け入れる孔を横長孔とすることで、部材組立ての誤差を吸収することができる。一般に、横長孔を皿孔加工とすることは手間であることから、長孔用の螺子としてなべ螺子が用いられるが、前記他方の見付面は前記一方の見付面よりも戸袋部の収納部側に偏倚しているので、当該他方の見付面の第１空間側に前記螺子の頭部を受け入れるスペースを確保することが可能となる。
１つの態様では、前記一方の見付面は前記第１取付片の見付面であり、前記他方の見付面は前記第２取付片の見付面であり、前記第１取付片の前記見付面は、前記第２取付片の前記見付面よりも第１空間側に偏倚している。
第１螺子が設けられる第１取付片の見付面をなるべく第１空間側に位置させることで、第１螺子と戸袋部の収納部との距離を大きくとることができ、第１螺子の軸部の先端が収納部（扉体の移動経路）に突出することを防止し、収納部の見込寸法を小さくすることができる。
【０００８】
１つの態様では、前記第２取付片は、前記見付面と、上辺と、下辺と、からなる凹部（後述する実施形態では、断面視コ字形状を有する）を備えており、
前記第２取付片は、前記第１空間側に凹部が面した姿勢で、前記見付面を前記第２縦枠の見付面に当接させて前記第２止着手段としての第２螺子で固定されており、当該螺子の頭部は当該第２取付片の前記凹部内（厚さ内）に納まっている。
１つの態様では、前記第２螺子はなべ螺子であるが、頭部は前記第２取付片の凹部内に納まっている。
第２螺子の頭部が第２取付片の厚さ内（上辺及び下辺の端縁の内側）に納まっているので、第２取付片の上辺及び下辺の端縁がボードの被当接部となる場合に、第２螺子の頭部が邪魔になることがない。
第２取付片が全体で前記凹部を形成してもよく（図６Ａ（Ａ）参照）、あるいは、第２取付片の部分に前記凹部が形成されていてもよい（図６Ａ（Ｂ）、（Ｃ）参照）。
【０００９】
１つの態様では、前記第２取付片の見付面には、前記第２螺子を受け入れる横長孔が形成されている。
典型的には、掃除口本体は、複数の部材から組み立てられるので、前記第１取付片に形成した前記第１螺子を受け入れる孔と前記第２取付片に形成した前記第２螺子を受け入れる孔間の寸法に誤差が生じる場合があり、第１縦枠、第２縦枠にそれぞれ形成された螺子孔と位置がズレるおそれがあるが、第２取付片の見付面に形成された第２螺子を受け入れる孔を横長孔とすることで、部材組立ての誤差を吸収することができる。
一般に、横長孔を皿孔加工とすることは手間であることから、第２螺子としてなべ螺子が用いられるが、その場合であっても、螺子頭部は第２取付片の凹部内に位置しているので、ボードを設ける際等に邪魔になることがない。
【００１０】
１つの態様では、前記第１取付片は、前記見付面と、上辺と、下辺と、から断面視コ字形状を備えており、
前記第２取付片は、前記収納部側に凹部が面した姿勢で、当該凹部に前記第１縦枠の見付片を受け入れた状態で、前記見付面を前記見付片に当接させて前記第１止着手段としての第１螺子で固定されている。
【００１１】
１つの態様では、前記第１螺子の頭部と前記第１取付片の見付面が略面一となっている。後述する実施形態では、前記第１螺子が皿螺子であり、前記第１取付片の見付面には、前記第１螺子を受け入れる皿孔が形成されており、当該第１螺子の頭部と前記第１取付片の見付面が略面一となっている。あるいは、第１螺子である皿螺子を受け入れる孔を、やや大径の丸孔とし、皿螺子の頭部の大部分が丸孔内に納まるようにして、皿螺子の頭部が僅かに前記第１取付片の見付面から出っ張るようなもの（ボード設置に影響を与えない程度の突出）でもよい。
第１螺子の頭部が第１取付片の見付面から実質的に突出することがないので、第１取付片の見付面がボードの被当接部となる場合に、第１螺子の頭部が邪魔になることがない。
【００１２】
１つの態様では、前記第１取付片の前記見付面、前記第２取付片の最も第１空間側に位置する部位（図６Ａ（Ａ）においては、第２取付片４５の上辺４５１及び下辺４５２の端縁、図６Ａ（Ｂ）、（Ｃ）においては、上側見付面４５００、下側見付面４５０１）は、同一垂直面上に位置している。
後述する実施形態では、前記第１側壁は、前記第１縦枠と前記第２縦枠間には高さ方向に間隔を存して設けた複数本の中間横材と、前記第１縦枠と前記第２縦枠の最下端間に設けた下端横材と、上下に隣位の中間横材間に設けた内側ボードと、内側ボードの外側に設けた外側ボードとを備え、
当該掃除口構造は、最下位の中間横材と下端横材の間に設けてあり、
前記第１縦枠、前記中間横材、前記下端横材は同一垂直面を形成する被当接面を備えており、前記第１取付片の前記見付面、前記第２取付片の上辺及び下辺の端縁は、前記垂直面上に位置しており、
前記外側ボードの一部は、同一垂直面を形成する前記被当接面、前記第１取付片の見付面、前記第２取付片の前記上辺及び下辺の端縁に当接させて設けられる。
【発明の効果】
【００１３】
本発明では、予め第１取付片、第２取付片が形成された掃除口本体を用意し、この掃除口本体を正面から止着部材で第１縦枠、第２縦枠に固定するので、掃除口本体の取り付けの作業性が良く、また、中桟に掃除口を取り付ける場合に比べて強固な取り付けが行われる。
【図面の簡単な説明】
【００１４】
【図１】全閉姿勢にある引戸装置（掃除口側）の正面図である。
【図２】引戸装置（掃除口構造の高さ方向中央部位）の横断面図であり、全閉姿勢にある扉体を実線、全開姿勢にある扉体及び戸袋部の側壁を構成するボードを点線で示す。
【図３】図２における掃除口構造の一端部位（開口部に近い側）の部分拡大図である。
【図４】図２における掃除口構造の他端部位（開口部から遠い側）の部分拡大図である。
【図５】掃除口本体の平面図、正面図、横断面図（高さ方向中央部位から下方を見た図）である。
【図６】（Ａ）は掃除口本体の縦断面図、（Ｂ）は一側（開口部に近い側）から見た側面図、（Ｃ）は他側（開口部から遠い側）から見た側面図である。
【図６Ａ】（Ａ）は図６（Ｃ）において、第２取付片を墨入れして示す図であり、（Ｂ）、（Ｃ）はそれぞれ第２取付片の他の実施形態を示す図である。
【図７】蓋体の正面図、下面図、側面図である。
【図８】引戸装置の戸袋部の下方の掃除口構造（ボードを取り付ける前の状態）を示す図である。
【図９】図８の一端側（開口部に近い側）の部分拡大図である。
【図１０】図８の他端側（開口部から遠い側）の部分拡大図である。
【図１１】（Ａ）は引戸装置の戸袋部の下方の掃除口構造の縦断面図であり、掃除口本体に対する蓋体の取り付けを説明する図である。（Ｂ）は引戸装置の戸袋部の下方の掃除口構造の縦断面図であり、掃除口本体に蓋体が装着された状態を示す図である。
【図１２】引戸装置の戸袋部の下方の斜視図であって、方立と戸尻側縦枠間への掃除口本体の取り付けを説明する図である。
【図１３】引戸装置の戸袋部の下方の斜視図であって、掃除口本体に対する蓋体の取り付けを説明する図である。
【図１４】引戸装置の戸袋部の下方の斜視図であって、掃除口本体に蓋体が取り付けられた状態を示す図である。
【発明を実施するための形態】
【００１５】
図１は、全閉姿勢にある引戸装置の正面図であって、左右方向に移動する扉体１が建物内を第１空間Ａと第２空間Ｂに仕切る壁体に形成された開口部を開閉するようになっている。壁体内には開口部に隣接して戸袋部２が形成されており、開口部開放時には、扉体１が戸袋部２の内部空間に収容される。壁体の第１空間Ａに面する部位（すなわち、掃除口側）には、戸袋部２の下方部位に位置して掃除口構造３が形成されている。すなわち、図１は、Ａ側から見た引戸装置の正面図である。なお、掃除口を第１空間Ａ側及び第２空間Ｂ側の両方に設けてもよい。
【００１６】
なお、本明細書において、「Ａ側」、「Ｂ側」という文言は、必ずしも、ある要素あるいはその部分が第１空間Ａ、第２空間Ｂに位置することのみを意味するものではなく、ある要素の部分の相対的な位置を表す文言としても用いられる点に留意されたい。すなわち、当該要素が引戸装置の一部として組み込まれた状態において、第１空間Ａに近い側が「Ａ側」、第１空間Ａから遠い側が「Ｂ側」である（例えば、図６参照）。
【００１７】
掃除口構造３は、掃除口が形成された掃除口本体４と掃除口を塞ぐ蓋体５から構成されている。開口部及び戸袋部２の上方には、戸先側縦枠７と戸尻側縦枠９間に亘って、水平方向に延びる上枠（上側空間）６が形成されており、上側空間内には、水平状ないし傾斜状に延びる走行レール（図示せず）が設けてある。扉体１の上端には吊持ローラ（図示せず）が設けてあり、前記吊持ローラが前記走行レール上を転動することで、扉体１が左右方向に移動して開口部を開閉するようになっている。このような上吊引戸は当業者に良く知られているので、扉体１の移動の構成についての詳細な説明は省略する。なお、本実施形態に係る掃除口構造は、上吊引戸以外の引戸（例えば、扉体下端が下面や下レール上を走行するもの）にも適用され得る。
【００１８】
図１に示すように、開口部は、高さ方向に延びる戸先側縦枠７と、高さ方向に延びる方立８と、上枠６の一方の半部と、床面ＦＬとから囲まれた空間から形成されている。図２に示すように、戸先側縦枠７は、第１空間Ａ、第２空間Ｂにそれぞれ面する見付面７０と、見付面７０間を接続する見込面７１とを備え、見込面７１には、引戸の全閉姿勢時において、扉体１の戸先側端部が当接する凹部が形成されている。
【００１９】
図２、図３に示すように、戸袋部２の出入口は、第１空間Ａ側と第２空間Ｂ側の一対の方立８の間に形成されている。より詳しくは、各方立８は、第１空間Ａないし第２空間Ｂにそれぞれ面する第１見付面８０と、第１見付面８０の開口部に近い側から見込方向に延び、開口部に面する第１見込面８１と、第１見付面８０の開口部から遠い側から戸袋部２の収納部に向かって見込方向に延びる第２見込面８２と、第２見込面８２の戸袋部２の収納部側の端部から開口部から離れる方向に延びる第２見付面８３と、第１見込面８１の戸袋部２の出入口側の端部から第１見付面８０、第２見付面８３に対向して開口部から離れるように見付方向に延びる内側面８４と、第２見付面８３の開口部から遠い側の端部と内側面８４の開口部から遠い側の端部を見込方向に結ぶ第３見込面８５と、第３見込面８５から開口部から離れる方向に平面視平行状に延びる第１見付片８６、第２見付片８７と、を備えている。第１見付片８６と第２見付片８７は高さ方向において異なる位置に形成されており、第１見付片８６は戸袋部２の収納部の反対側に位置しており、第２見付片８７は戸袋部２の収納部側に位置している。内側面８４は戸袋部２の収納部に面しており、第１見付面８０に対向する第１部分と第２見付面８３に対向する第２部分とから段部状となっており、開口部側（出入口）に位置する第１部分には、任意要素としての樹脂製の指詰め防止部材８８が設けてある。第２見付面８３や第１見付片８６は、施工後には壁体に隠蔽されるため、方立８において、第１見付面８０、第１見込面８１、第２見込面８２の一部のみが外部に露出する。
【００２０】
戸袋部２の収納部は、戸袋部２の出入口に位置する一対の方立８と、戸袋部２の底側の戸尻側縦枠９と、第１空間Ａ側の第１側壁（中桟２０、内側ボード２２Ａ、外側ボード２２Ｂ）と、第２空間Ｂ側の第２側壁（中桟２０、内側ボード２２Ａ、外側ボード２２Ｂ）と、上枠６の他方の半部と、床面ＦＬと、から形成されている。第１空間Ａ側の第１側壁の下方部位に、掃除口構造３が形成されており、掃除口構造３の掃除口は戸袋部２の収納部と連通している。
【００２１】
図２、図４に示すように、戸尻側縦枠９は、第１空間Ａ側の第１見付面９０と、第２空間Ｂ側の第２見付面９１と、第１見付面９０の開口部側の端部と第２見付面９１の開口部側端部を結ぶ見込面９２と、から断面視略コ字形状を備えており、見込面９２が開口部側に位置し、第１見付面９０、第２見付面９１が開口部から離間する方向に延びる姿勢で設けてある。開口部全開時には、扉体１の戸尻側端部の戸当りゴム１０が戸尻側縦枠９の見込面９２に当接する。
【００２２】
第１空間Ａ側の方立８と戸尻側縦枠９の第１見付面９０の間、第２空間Ｂ側の方立８と戸尻側縦枠９の第２見付面９１の間には、複数本の中桟２０が高さ方向に間隔を存して水平状に取り付けられており、第１空間Ａ側の中桟２０と第２空間Ｂ側の中桟２０との間に、戸袋部２の収納部が形成されている。より具体的には、図８〜図１１に示すように、中桟２０は、見付面２００と、見付面２００の上端の上面２０１と、見付面２００の下端の下面２０２と、上面２０１から垂直状に立ち上がる立ち上がり片２０３と、下面２０２から垂下する垂下片２０４と、からなり、見付面２００の幅方向一端側が方立８の第１見付片８６に螺子Ｓで連結され、見付面２００の幅方向他端側が戸尻側縦枠９の第１見付面９０、あるいは、第２見付面９１に螺子Ｓで連結されている。上下に隣位の中桟２０間（上側に位置する中桟２０の下面２０２と下側に位置する中桟２０の上面２０１との間）には戸袋部２の側壁を形成する内側ボード２２Ａが設けられる（図１１参照）。内側ボード２２Ａの外側には、外側ボード２２Ｂが設けられ、内側ボード２２Ａと外側ボード２２Ｂから壁体が形成されている。
【００２３】
方立８の下方部位と戸尻側縦枠９の下方部位との間には、水平状に延びる巾木２１が設けてある。図１１に示すように、巾木２１は、第１空間Ａ側、第２空間Ｂ側の見付面２１０と、第１空間Ａ側の見付面２１０と第２空間Ｂ側の見付面２１０の下端を連結する下面２１１と、見付面２１０の上端の上面２１２と、上面２１２から上方に延びる立ち上がり片２１３と、を備えている。巾木２１の下面２１１は、床面ＦＬ上に載置された状態で止着部材で床面ＦＬに固定されている（なお、床面ＦＬよりも下方に位置して固定してもよい）。第２空間Ｂ側において、最下位の中桟２０の下面２０２と、巾木２１の見付面２１０の上面２１２との間には内側ボード２２Ａが設けられ、内側ボード２２Ａに隣接して外側ボード２２Ｂが設けられる。第１空間Ａ側において、最下位の中桟２０と巾木２１の間には、掃除口構造３が設けられる。
【００２４】
図３に示すように、方立８の第２見付面８３と中桟２０の見付面２００は同一垂直面上にあり、図１１に示すように、中桟２０の見付面２００と巾木２１の見付面２１０は同一垂直面上にある。図３に示すように、方立８の第２見付面８３と掃除口本体４の第１取付片４４の見付面４４０は同一垂直面上にあり、また、掃除口本体４の第１取付片４４の見付面４４０と第２取付片４５の上辺４５１、下辺４５２のＡ側の端縁は同一垂直面上にある。すなわち、方立８の第２見付面８３、中桟２０の見付面２００、巾木２１の見付面２１０、掃除口本体４の第１取付片４４の見付面４４０、掃除口本体４の第２取付片４５の上辺４５１、下辺４５２の端縁が同一垂直面を形成しており、外側ボード２２Ｂの内側の見付面が前記垂直面に当接することになり、外側ボード２２Ｂを安定して取り付けることができる。
【００２５】
図５に示すように、掃除口本体４は、水平状の上枠４０、水平状の下枠４１、垂直状の第１縦枠（開口部から近い側）４２、垂直状の第２縦枠（開口部から遠い側）４３とから横長方形状の枠体と、第１縦枠４２から開口部側へ延出する第１取付片４４と、第２縦枠４３から開口部から離れる側へ延出する第２取付片４５と、からなる。
【００２６】
図６（Ａ）に示すように、上枠４０は、掃除口の上面を形成する下面４００と、下面４００のＢ側の端部から立ち上がる垂直面４０１と、垂直面４０１の上端からＡ側に向かって水平に延びる上面４０２と、上面４０２のＡ側の端部から垂直に立ち上がる見付面４０３と、見付面４０３の上端からＢ側に向かって水平に延びる上片４０４と、下面４００のＡ側の端部から垂直に立ち上がる被掛止片４０５と、を備えている。上面４０２と被掛止片４０５の上端との間には隙間が形成されており、蓋体５の上側の掛止片５１を差し入れることが可能となっている。被掛止片４０５は、見付面４０３よりもＢ側に退避して位置しており、掃除口本体４に蓋体５を装着した時に、蓋体５の面部５０が見付面４０３に対して僅かに凹んだ位置となるようになっている（図１１（Ｂ）参照）。なお、見付面４０３と蓋体５の面部５０が面一（同一垂直面上にある）となってもよい。上枠４０の上片４０４には外側ボード２２Ｂの下端が載置するようになっている（図１１参照）。
【００２７】
図６（Ａ）に示すように、下枠４１は、掃除口の下面を形成する上面４１０と、上面４１０のＢ側の端部から垂下する垂直面４１１と、垂直面４１１の下端からＡ側に向かって水平に延びる下面４１２と、下面４１２のＡ側の端部から垂下する見付面４１３と、見付面４１３の下端からＢ側に向かって水平に延びる下片４１４と、を備えている。下枠４１の上面４１０には、幅方向の中央に位置して係止孔４１００が形成されている（図５参照）。下枠４１の見付面４１３は上枠４０の見付面４０３と同一面上にある。下枠４１において、上面４１０と垂直面４１１と下面４１２からＡ側（第１空間Ａ）に向かって開口状の凹部が形成されており、垂直面４１１の上側部位には下枠４１の幅方向に間隔を存して複数個（本実施形態では２個）のマグネット（実施例ではラバーマグネット）Ｍが設けてある。下枠４１の下片４１４と床面ＦＬの間には、巾木２１の見付面２１０に隣接して外側ボード２２Ｂが設けられる（図１１参照）。
【００２８】
図３、図５に示すように、第１縦枠４２は、掃除口の一方の側面を形成する第１見込面４２０と、第１空間Ａに面する見付面４２１とを備えている。第１縦枠４２は、さらに、第１見込面４２０のＢ側の端部から開口部に向かって見付方向に延びる底面４２２と、底面４２２の開口部側端部からＡ側に向かって見込方向に延び、見付面４２１の開口部から遠い側の端部と接続する第２見込面４２３と、見付面４２１の開口部側端部からＢ側に向かって見込方向に延びる第３見込面４２４と、からなる。
【００２９】
図４、図５に示すように、第２縦枠４３は、掃除口の一方の側面を形成する第１見込面４３０と、第１空間に面する見付面４３１とを備えている。第２縦枠４３は、さらに、第１見込面４３０のＢ側の端部から開口部から離れるように見付方向に延びる底面４３２と、底面４３２と見付面４３１とを接続する第２見込面４３３と、見付面４３１の開口部から遠い側の端部からＢ側に延びる第３見込面４３４と、からなる。
【００３０】
図５に示すように、掃除口本体４において、上枠４０の下面４００（掃除口４´の上面）、下枠４１の上面４１０（掃除口４´の下面）、第１縦枠４２の第１見込面４２０（掃除口４´の一方の側面）、第２縦枠４３の第１見込面４３０（掃除口４´の他方の側面）から横長方形状の掃除口４´が形成されている。掃除口本体４には、掃除口４´を覆うように蓋体５が設けられる。
【００３１】
本実施形態では、第１取付片４４は枠体（第１縦枠４２）とは別体で用意され、第１縦枠４２に対して固定されて一体化されている。第１取付片４４は見付面４４０と、上辺４４１、下辺４４２から断面視コ字形状を備え、見付面４４０をＡ側に位置させ、凹部をＢ側（戸袋部２の収納部側）に向けた姿勢で、第１縦枠４２に固定（例えば溶接）されている。第１取付片４４の見付面４４０には、上下に離間して２個の皿孔４４３が形成されている。
【００３２】
図３に示すように、第１取付片４４の見付面４４０の外面（Ａ側の面）の所定位置には、見付片４４４と見込辺４４５から断面視Ｌ形状の位置決め要素が設けてあり、第１取付片４４の幅方向の一側の端面を第１縦枠４２の第２見込面４２３に当接させ、第１縦枠４２の第３見込面４２４の所定高さ部位に形成された切り欠き部に見込辺４４５を嵌め込んだ状態で第１縦枠４２に位置決め固定される。
【００３３】
図３に示すように、掃除口本体４は、第１取付片４４の見付面４４０の内面（Ｂ側の面）を第１空間Ａ側の方立８の第１見付片８６に当接させた状態で、上下二箇所で第１螺子Ｓ１によって方立８に固定される（なお、第１螺子Ｓ１を取り付ける箇所は２箇所に限定されず、例えば、１箇所あるいは３箇所でもよい）。第１螺子Ｓ１は皿螺子であって、第１螺子Ｓ１の軸部は方立８の第１見付片８６の螺子孔に螺合し、第１螺子Ｓ１の頭部は第１取付片４４の見付面４４０に形成した皿孔４４３内に位置しており、見付面４４０からＡ側に突出することがないようになっている。よって、第１螺子Ｓ１の頭部が外側ボード２２Ｂに干渉することがない。なお、第１螺子Ｓ１である皿螺子を受け入れる孔を、やや大径の丸孔とし、皿螺子の頭部の大部分が丸孔内に納まるようにして、皿螺子の頭部が僅かに前記第１取付片の見付面から出っ張るようなもの（ボード設置に影響を与えない程度の突出）でもよい。
【００３４】
本実施形態では、第２取付片４５は枠体（第２縦枠４３）とは別体で用意され、第２縦枠４３に対して固定されて一体化されている。第２取付片４５は見付面４５０と、上辺４５１、下辺４５２から断面視コ字形状を備え、見付面４５０をＢ側（戸袋部２の収納部側）に位置させ、凹部をＡ側に向けた姿勢で、第２縦枠４３に固定（例えば溶接）されている。第２取付片４５の見付面４５０には、上下に離間して２個の横長孔４５３が形成されている。
【００３５】
第２取付片４５の見付面４５０の内面（Ａ側の面）の所定位置には、見付片４５４と見込辺４５５から断面視Ｌ形状の位置決め要素が設けてあり、幅方向の一側の端面を第２縦枠４３の第２見込面４３３に当接させ、第２縦枠４３の第３見込面４３４の所定高さ部位に形成された切り欠き部に見込辺４５５を嵌め込んだ状態で第２縦枠４３に位置決め固定される。
【００３６】
図４に示すように、掃除口本体４は、第２取付片４５の見付面４５０の外面（Ｂ側の面）を戸尻側縦枠９の第１見付面９０に当接させた状態で、上下二箇所で第２螺子Ｓ２によって戸尻側縦枠９に固定される（なお、第２螺子Ｓ２を取り付ける箇所は２箇所に限定されず、例えば、１箇所あるいは３箇所でもよい）。第２螺子Ｓ２はなべ螺子であり、第２螺子Ｓ２の軸部は戸尻側縦枠９の第１見付面９０の螺子孔に螺合し、第２螺子Ｓ２の頭部は第２取付片４５の見付面４５０からＡ側に突出しているが、第２螺子Ｓ２の頭部は平面視において第２取付片４５の厚さ（見込寸法）内（断面視コ字形状の第２取付片４５の凹部内）に納まっている。第２取付片４５の見付面４５０に形成された孔を横長孔４５３としたことで、複数の部材からなる掃除口本体４の組立誤差（戸尻側縦枠９の第１見付面９０に形成された螺子孔との不一致）を吸収できるようになっている。
【００３７】
上述のように、第１取付片４４と第２取付片４５は、いずれも見付面４４０、４５０、上辺４４１、４５１、下辺４４２、４５２から断面視コ字形状を備えており、類似の形状を備えているが、上枠４０、下枠４１、第１縦枠４２、第２縦枠４３からなる枠体に対して異なる向きで固定されている。具体的には、第１取付片４４においては、断面視コ字形の凹部が第２空間Ｂ側（戸袋部２の収納部側）を向いた姿勢で第１縦枠４２に固定されており、第２取付片４５において、断面視コ字形の凹部が第１空間Ａ側に向いた姿勢で第２縦枠４３に固定されている。図５の下図に示すように、第１取付片４４の見付面４４０は、第２取付片４５の見付面４５０よりもＡ側（すなわち、戸袋部２の収納部から遠い側）に位置している。第１螺子Ｓ１が取り付けられる見付面４４０を戸袋部２の収納部から離すことによって、第１螺子Ｓ１の軸部が戸袋部２の収納部に突出することを防止しつつ、戸袋部２の収納部の見込方向の幅寸法を小さくすることができ、コンパクトな戸袋部２を提供することができる。
【００３８】
本実施形態では、掃除口本体４の幅方向端部に形成された第１取付片４４、第２取付片４５は、いずれも、掃除口本体４と別体で用意されたものを掃除口本体４に固定することで形成されているが、第１取付片４４、第２取付片４５を掃除口本体４と一体形成してもよい。また、第１取付片４４、第２取付片４５の形状、構成は図示の態様に限定されない。例えば、第２取付片４５の他の実施形態を図６Ａ（Ｂ）、（Ｃ）に示す。上述の第２取付片４５は、図６Ａ（Ａ）に示すように、見付面４５０と、上辺４５１、下辺４５２から断面視コ字形状を備え、見付面４５０をＢ側（戸袋部２の収納部側）に位置させ、凹部をＡ側に向けた姿勢で、第２縦枠４３に第２螺子Ｓ２によって固定されており、第２螺子Ｓ２の頭部は凹部内に位置するようになっている。図６Ａ（Ｂ）において、第２取付片４５´は、高さ方向中間部位において、見付面４５０´と上辺４５１´、下辺４５２´から断面視コ字状を備えた凹部と、凹部の上側の上側見付面４５００と、凹部の下側の下側見付面４５０１と、から形成されている。見付面４５０´には、第２螺子Ｓ２を挿通させるための横長孔（図示せず）が形成されており、第２螺子Ｓ２の頭部は凹部内に位置するようになっている。図６Ａ（Ｃ）において、第２取付片４５´´は、高さ方向中間部位において、見付面４５０´´と上辺４５１´´、下辺４５２´´から断面視コ字状を備えた凹部と、凹部の上側の上側見付面４５００と、凹部の下側の下側見付面４５０１と、上側見付面４５００の上端の上端辺４５０２と、下側見付面４５０１の下端の下端辺４５０３と、から形成されている。見付面４５０´´には、第２螺子Ｓ２を挿通させるための横長孔（図示せず）が形成されており、第２螺子Ｓ２の頭部は凹部内に位置するようになっている。
【００３９】
図７に示すように、蓋体５は、第１空間Ａに面する表面と反対側（Ｂ側）の裏面とからなり、横長方形状の面部５０と、面部５０の上端に裏面側に折り返し状（レ状）に一体形成された上側の掛止片５１と、面部５０の下端に一体形成された下辺５２とからなり、下辺５２は面部５０の裏面の下端よりも少し上側から水平状に延びる水平片５２０と水平片５２０の先端から垂下する垂下片５２１からなる。
【００４０】
面部５０の裏面の上方部位には、幅方向に間隔を存して複数個（図示の態様では２個）のマグネット（実施例ではラバーマグネット）Ｍが設けてある。面部５０の下方部位には、幅方向中央に位置して鍵部５００が設けてあり、鍵部５００は、水平姿勢と垂直姿勢の間で回動可能の係止片５０１を備えている。水平片５２０の幅方向の中央部位には、係止片５０１の下方に位置して開口（切り欠き）５２００が形成されており、係止片５０１が垂直姿勢となった時に、垂直姿勢の係止片５０１の下方部位が開口５２００から下方に突出するようになっている（図１１参照）。
【００４１】
係止片５０１が水平姿勢にある時には、水平姿勢の係止片５０１は下枠４１の上面４１０（係止孔４１００）の上方に位置しており、係止片５０１を垂直姿勢とすることで、係止片５０１が掃除口本体４の下枠４１の係止孔４１００に係止してロック姿勢となる。係止片５０１がロック姿勢にある時には、蓋体５の下端を持ち上げるように手前に回動させようとすると、蓋体５の下辺５２の水平片５２０が掃除口本体４の下枠４１の上面４１０に当接するまでは上動するが、この状態で係止片５０１が係止孔４１００に係止しているため、蓋体５の下端側の回動が規制される。
【００４２】
図１１に示すように、蓋体５は、上側の掛止片５１を、掃除口本体４の上枠４０の被掛止片４０５に掛止させ、下側の下辺５２を掃除口本体４の下枠４１の凹部内に位置させ、垂下片５２１を凹部内の垂直面４１１のマグネットＭに着脱可能に磁着させ、また、面部５０の裏面のマグネットＭを被掛止片４０５の下方部位に着脱可能に磁着させる。マグネットＭは、掃除口本体４に対する蓋体５の固定及び振動防止の機能を提供する。
【００４３】
本実施形態では、掃除口本体４に蓋体５が取り付けられた状態において、蓋体５の面部５０には、鍵部５００を除いて、蓋体５を外すための取っ手や蓋体５を保持するための金具等が露出することがないので、スッキリとした外観であり、意匠上良好である。掃除口本体４において、被掛止片４０５は、見付面４０３よりも内側（第１空間Ａから離れる側）に退避して位置しており、被掛止片４０５に蓋体５の上側の掛止片５１を掛止させて当該蓋体５を掃除口本体４に取り付けた時に、蓋体５の面部５０が見付面４０３、見付面４１３に対して僅かに凹んだ位置となるようになっている（図１１（Ｂ）参照）。なお、蓋体５の見付面５０と見付面４０３、見付面４１３が面一となってもよい。
【００４４】
蓋体５が掃除口本体４に取り付けられた状態において、蓋体５の幅方向の一端（開口部に近い側）の垂直端縁と掃除口本体４の第１縦枠４２の見付面４２１との間には隙間が形成されているが、当該隙間の奥側には、第１縦枠４２の底面４２２が位置しているので、光漏れ等が生じすることがない（図３参照）。同様に、蓋体５の幅方向の他端（開口部から遠い側）の垂直端縁と掃除口本体４の第２縦枠４３の見付面４３１との間には隙間が形成されているが、当該隙間の奥側には、第２縦枠４３の底面４３２が位置しているので、光漏れ等が生じすることがない（図４参照）。
【００４５】
図１１（Ｂ）に示すように、掃除口本体４に蓋体５が装着された状態において、蓋体５の面部５０の下端と掃除口本体４の下枠４１の下面４１２との間には、面部５０の下端に指を掛けることができる程度の隙間Ｇが形成されており、鍵部５００の係止片５０１を非ロック姿勢として、面部５０の下端（手掛け部を形成する）に指を掛けて蓋体５を上方に持ち上げて下端側を手前に回動させることで、蓋体５と掃除口本体４とのマグネットＭによる磁着を解除させると共に、掃除口本体４の上枠４０の被掛止片４０５から蓋体５の上側の掛止片５１を離脱させ、蓋体５を取り外して、掃除口４´を第１空間Ａに露出させて、戸袋部に溜まった埃等を掃除することができる。
【００４６】
上述のような構成を備えた掃除口構造３の設置について、図１２〜図１４を参照しつつ説明する。建物開口部に、戸先側縦枠７、戸尻側縦枠９を立設し、当該建物開口部の上方に戸先側縦枠７と戸尻側縦枠９間に亘って上枠６を設ける。当該建物開口部の幅方向の所定位置に方立８を立設し、戸先側縦枠７と方立８（本実施形態では、図２に示すように、開放姿勢にある扉体１の戸先側部位１１）間の空間が実際に通行する開口部となり、方立８と戸尻側縦枠９の間に戸袋部２が形成される。床面には、方立８と戸尻側縦枠９の間に亘って延びる巾木２１が設けられる。第１空間Ａ側の方立８と戸尻側縦枠９の第１見付面９０間、第２空間Ｂ側の方立８と戸尻側縦枠９の第２見付面９１間には、高さ方向に間隔を存して複数本の中桟２０が螺子Ｓで固定される。方立８の第２見付面８３の下端部位は、螺子Ｓによって巾木２１に固定される。
【００４７】
第１空間Ａ側の方立８の下方部位と戸尻側縦枠９の第１見付面９０の下方部位の間には、巾木２１の直上に位置して、掃除口本体４が取り付けられる。掃除口本体４は、第１取付片４４の見付面４４０の内面を方立８の第１見付片８６に当接させて、第１螺子Ｓ１で第１見付片８６に固定し、第２取付片４５の見付面４５０の外面を戸尻側縦枠９の第１見付面９０に当接させて、第２螺子Ｓ２で第１見付面９０に固定する（図１２）。掃除口本体４は、幅方向の両端が、それぞれ、方立８、戸尻側縦枠９という比較的強度がある部材に固定支持されるので、掃除口本体を中桟に取り付けるような場合に比べて、より強固に取り付けられる。
【００４８】
次いで、方立８と戸尻側縦枠９間に固定された掃除口本体４に対して蓋体５を取り付ける（図１３）。蓋体５は、上側の掛止片５１を、掃除口本体４の上枠４０の被掛止片４０５に掛止させ、下側の下辺５２を、掃除口本体４の下枠４１の凹部内に挿入することで、上側が掃除口本体４に掛止された状態で、蓋体５の下辺５２の垂下片５２１が下枠４１の凹部内の垂直面４１１のマグネットＭに磁着され、面部５０の裏面のマグネットＭが被掛止片４０５の下方部位に磁着されることで、掃除口本体４に取り付けられる（図１４）。なお、蓋体５は掃除口本体４に対して着脱可能なので、壁仕上げ後に、蓋体５を取り付けてもよい。
【００４９】
第１空間Ａ側の中桟２０間、第２空間Ｂ側の中桟２０間に、内側ボード２２Ａを取り付け、内側ボード２２Ａの外側に隣接して外側ボード２２Ｂを取り付ける。掃除口構造３の周囲において、方立８の第２見付面８３、中桟２０の見付面２００、巾木２１の見付面２１０、掃除口本体４の第１取付片４４の見付面４４０、掃除口本体４の第２取付片４５の上辺４５１、下辺４５２の端縁に外側ボード２２Ｂを当接させて取り付ける。最後に、壁の表面仕上げを行う。
【符号の説明】
【００５０】
１  扉体
２  戸袋部
２０  中桟（中間横材）
２００  見付面（被当接面）
２１  巾木（下端横材）
２１０  見付面（被当接面）
３  掃除口構造
４  掃除口本体
４´掃除口
４４  第１取付片
４４０  見付面
４４１  上辺
４４２  下辺
４４３  皿孔（孔）
４５  第２取付片
４５０  見付面
４５１  上辺
４５２  下辺
４５３  横長孔
５  蓋体
８  方立（第１縦枠）
８３  第２見付面（被当接面）
８６  第１見付片（見付片）
９  戸尻側縦枠（第２縦枠）
９０  第１見付面（見付面）
Ａ  第１空間
Ｓ１  第１螺子（第１止着手段）                
Ｓ２  第２螺子（第２止着手段）
【図１】
2019100026.tif 000003
【図２】
2019100026.tif 000004
【図３】
2019100026.tif 000005
【図４】
2019100026.tif 000006
【図５】
2019100026.tif 000007
【図６】
2019100026.tif 000008
【図６Ａ】
2019100026.tif 000009
【図７】
2019100026.tif 000010
【図８】
2019100026.tif 000011
【図９】
2019100026.tif 000012
【図１０】
2019100026.tif 000013
【図１１】
2019100026.tif 000014
【図１２】
2019100026.tif 000015
【図１３】
2019100026.tif 000016
【図１４】
2019100026.tif 000017